(57)【要約】      （修正有）【課題】１個の穴を開けるたびに装置の位置を調節することを回避し、穴あけの効率を向上する室内装飾穴あけ用除塵装置を提供する。【解決手段】吸塵手段１、湾曲手段２と増長手段３を含み、吸塵手段１の一側に湾曲手段が移動可能に取付けられ、吸塵手段１における湾曲手段２と反対側に増長手段３が移動可能に取付けられる。室内装飾穴あけ用除塵装置は第一の磁気ブロック、第二の磁気ブロックおよび第三の磁気ブロックを設け、取外す操作が容易になる。壁のエッジにおいて穴あけをする場合、本装置を中線から左右に開き、その一半部をその周縁部にて壁に密接させて作業すればよく、これにより該装置は、室内装飾の任意位置における穴あけに適合可能になり、壁付近やコーナーなどの制限を受けなく、実用性を向上する。第一の案内板、第二の案内板と第三の案内板を設け、装置の中心を表示することにより、位置を合わせて穴あけすることが容易になる。【選択図】図１
0003224510.tif 000002
【実用新案登録請求の範囲】
【請求項１】
吸塵手段（１）、湾曲手段（２）および増長手段（３）を含む室内装飾穴あけ用除塵装
置であって、前記吸塵手段（１）の一側に湾曲手段（２）が移動可能に取付けられ、前記
吸塵手段（１）における湾曲手段（２）と反対側に増長手段（３）が移動可能に取付けら
れており、
前記吸塵手段（１）は第一の弧形板（１０１）、第一の上封止パッド（１０２）、第一
の固定板（１０３）、第一の吸盤（１０４）、第一の支持棒（１０５）、第一の案内板（
１０６）、第一の下封止パッド（１０７）、第一の磁気ブロック（１０８）および吸塵管
（１０９）を含み、前記第一の弧形板（１０１）の頂部の一側に第一の上封止パッド（１
０２）が固定的に接続され、前記第一の弧形板（１０１）の底部の一側に第一の固定板（
１０３）が固定的に接続され、前記第一の固定板（１０３）の底部に第一の吸盤（１０４
）が固定的に接続され、前記第一の固定板（１０３）の一側に第一の支持棒（１０５）が
固定的に接続され、前記第一の支持棒（１０５）における第一の固定板（１０３）と反対
側の一端に第一の案内板（１０６）が固定的に接続され、前記第一の弧形板（１０１）の
底部に第一の下封止パッド（１０７）が固定的に接続され、前記第一の弧形板（１０１）
の両側にそれぞれ第一の磁気ブロック（１０８）が固定的に接続され、前記第一の弧形板
（１０１）の一側に吸塵管（１０９）が固定的に接続されており、
前記湾曲手段（２）は第二の弧形板（２０１）、第二の上封止パッド（２０２）、第二
の固定板（２０３）、第二の吸盤（２０４）、第二の支持棒（２０５）、第二の案内板（
２０６）、第二の下封止パッド（２０７）および第二の磁気ブロック（２０８）を含み、
前記第二の弧形板（２０１）の頂部の一側に第二の上封止パッド（２０２）が固定的に接
続され、前記第二の弧形板（２０１）の底部の一側に第二の固定板（２０３）が固定的に
接続され、前記第二の固定板（２０３）の底部に第二の吸盤（２０４）が固定的に接続さ
れ、前記第二の固定板（２０３）の一側に第二の支持棒（２０５）が固定的に接続され、
前記第二の支持棒（２０５）における第二の固定板（２０３）と反対側の一端に第二の案
内板（２０６）が固定的に接続され、前記第二の弧形板（２０１）の底部に第二の下封止
パッド（２０７）が固定的に接続され、前記第二の弧形板（２０１）の両側にそれぞれ第
二の磁気ブロック（２０８）が固定的に接続されており、
前記増長手段（３）は第三の弧形板（３０１）、第三の上封止パッド（３０２）、第三
の固定板（３０３）、第三の吸盤（３０４）、第三の支持棒（３０５）、第三の案内板（
３０６）、第三の下封止パッド（３０７）および第三の磁気ブロック（３０８）を含み、
前記第三の弧形板（３０１）の頂部の一側に第三の上封止パッド（３０２）が固定的に接
続され、前記第三の弧形板（３０１）の底部の一側に第三の固定板（３０３）が固定的に
接続され、前記第三の固定板（３０３）の底部に第三の吸盤（３０４）が固定的に接続さ
れ、前記第三の固定板（３０３）の一側に第三の支持棒（３０５）が固定的に接続され、
前記第三の支持棒（３０５）における第三の固定板（３０３）と反対側の一端に第三の案
内板（３０６）が固定的に接続され、前記第三の弧形板（３０１）の底部に第三の下封止
パッド（３０７）が固定的に接続され、前記第三の弧形板（３０１）の両側にそれぞれ第
三の磁気ブロック（３０８）が固定的に接続されている、
ことを特徴とする室内装飾穴あけ用除塵装置。
【請求項２】
前記第一の弧形板（１０１）、第二の弧形板（２０１）および第三の弧形板（３０１）
の材質は同じで、いずれも透明プラスチック材質であることを特徴とする請求項１に記載
の室内装飾穴あけ用除塵装置。
【請求項３】
前記第一の上封止パッド（１０２）、第一の下封止パッド（１０７）、第二の上封止パ
ッド（２０２）、第二の下封止パッド（２０７）、第三の上封止パッド（３０２）および
第三の下封止パッド（３０７）の材質は同じで、いずれも軟質ゴム材質であることを特徴
とする請求項１に記載の室内装飾穴あけ用除塵装置。
【請求項４】
前記第一の案内板（１０６）と第二の案内板（２０６）の形状は同じで、いずれも四分
の一の円形であることを特徴とする請求項１に記載の室内装飾穴あけ用除塵装置。
【請求項５】
前記第一の磁気ブロック（１０８）、第二の磁気ブロック（２０８）および第三の磁気
ブロック（３０８）の位置は相互に対応し、且つ相互に磁気吸引とすることを特徴とする
請求項１に記載の室内装飾穴あけ用除塵装置。
【請求項６】
前記第一の磁気ブロック（１０８）、第二の磁気ブロック（２０８）および第三の磁気
ブロック（３０８）はいずれも第一の弧形板（１０１）、第二の弧形板（２０１）、第三
の弧形板（３０１）の内部に嵌め込むようにそれぞれ固定的に接続されていることを特徴
とする請求項１に記載の室内装飾穴あけ用除塵装置。
【考案の詳細な説明】
【技術の分野】
【０００１】
本実用新案は除塵の技術分野に関し、具体的に室内装飾穴あけ用除塵装置に関する。
【従来の技術】
【０００２】
室内装飾においては、特に壁ランプ、クローゼット、テレビなど壁付けの電気製品を取
付けるときに、電気ドリルを用いて壁に穴を開けることが多い。電気ドリルによる穴あけ
の場合、高速回転する回転ヘッドにより大量の粉塵は揚げられ、環境を汚染し、内装担当
者の正常な呼吸に悪影響を与える。
【０００３】
ところで、中国特許出願ＣＮ２０７３７３４９３Ｕに開示した室内装飾用除塵装置では
、カバーに設ける止め輪、スライド溝、ゴム封止圈、押板、第一のバネ、吸盤、第二のバ
ネ、ダクト、光軸、蓋板、管路および収納溝により、除塵装置の構成が簡単で、操作が便
利になり、インテリアにおける穴あけ工程ではほこりが舞い上がることを効果的に回避す
るとともに、ほこりの清潔処理も容易になる。
【０００４】
しかしながら、該室内装飾用除塵装置は以下の欠陥などがある。
１）  該室内装飾用除塵装置において、例えば壁の付近やコーナーなどに障害物が存在
する場合、正常に使用できない。
２）  該室内装飾用除塵装置において、そのダクタの中心と開ける穴の位置を合わせる
ことができず、誤差が生じやすく、ズレが大きければ装飾プロセスが進み難くなる。加え
て、装飾穴あけの開け位置は具体的な現場状況によって決める。
３）  １個の穴を開けるたびに該室内装飾用除塵装置の位置を調節しなければならない
。一列などの穴をあける場合などでは作業が煩瑣である。
【先行技術文献】
【特許文献】
【０００５】
【特許文献１】中国特許出願ＣＮ２０７３７３４９３Ｕ
【考案の概要】
【考案が解決しようとする課題】
【０００６】
上記従来の技術に提出した課題を解決するために、本実用新案は以下の技術を提出して
いる。すなわち、室内装飾穴あけ用除塵装置は第一の磁気ブロック、第二の磁気ブロック
および第三の磁気ブロックを設け、吸塵手段、湾曲手段と増長手段を一緒に接続するよう
に構成されることにより、取外す操作が容易になり、したがって、コーナーなどでの穴あ
けの場合、一部の部品らを外してから作業をすることが可能となる。また、第一の案内板
、第二の案内板および第三の案内板を設け、該装置における中心部位を表示することが可
能で、上記従来技術に提出した課題を解決する。
【課題を解決するための手段】
【０００７】
上記の目的を達成するために、本実用新案は室内装飾穴あけ用除塵装置を提出している
。本室内装飾穴あけ用除塵装置は、吸塵手段、湾曲手段および増長手段を含み、前記吸塵
手段の一側に湾曲手段が移動可能に取付けられ、前記吸塵手段における湾曲手段と反対側
に増長手段が移動可能に取付けられており、
前記吸塵手段は第一の弧形板、第一の上封止パッド、第一の固定板、第一の吸盤、第一
の支持棒、第一の案内板、第一の下封止パッド、第一の磁気ブロックおよび吸塵管を含み
、前記第一の弧形板の頂部の一側に第一の上封止パッドが固定的に接続され、前記第一の
弧形板の底部の一側に第一の固定板が固定的に接続され、前記第一の固定板の底部に第一
の吸盤が固定的に接続され、前記第一の固定板の一側に第一の支持棒が固定的に接続され
、前記第一の支持棒における第一の固定板と反対側の一端に第一の案内板が固定的に接続
され、前記第一の弧形板の底部に第一の下封止パッドが固定的に接続され、前記第一の弧
形板の両側にそれぞれ第一の磁気ブロックが固定的に接続され、前記第一の弧形板の一側
に吸塵管が固定的に接続されており、
前記湾曲手段は第二の弧形板、第二の上封止パッド、第二の固定板、第二の吸盤、第二
の支持棒、第二の案内板、第二の下封止パッドおよび第二の磁気ブロックを含み、前記第
二の弧形板の頂部の一側に第二の上封止パッドが固定的に接続され、前記第二の弧形板の
底部の一側に第二の固定板が固定的に接続され、前記第二の固定板の底部に第二の吸盤が
固定的に接続され、前記第二の固定板の一側に第二の支持棒が固定的に接続され、前記第
二の支持棒における第二の固定板と反対側の一端に第二の案内板が固定的に接続され、前
記第二の弧形板の底部に第二の下封止パッドが固定的に接続され、前記第二の弧形板の両
側にそれぞれ第二の磁気ブロックが固定的に接続されており、
前記増長手段は第三の弧形板、第三の上封止パッド、第三の固定板、第三の吸盤、第三
の支持棒、第三の案内板、第三の下封止パッドおよび第三の磁気ブロックを含み、前記第
三の弧形板の頂部の一側に第三の上封止パッドが固定的に接続され、前記第三の弧形板の
底部の一側に第三の固定板が固定的に接続され、前記第三の固定板の底部に第三の吸盤が
固定的に接続され、前記第三の固定板の一側に第三の支持棒が固定的に接続され、前記第
三の支持棒における第三の固定板と反対側の一端に第三の案内板が固定的に接続され、前
記第三の弧形板の底部に第三の下封止パッドが固定的に接続され、前記第三の弧形板の両
側にそれぞれ第三の磁気ブロックが固定的に接続されている。
【０００８】
選択的に、前記第一の弧形板、第二の弧形板および第三の弧形板の材質は同じで、いず
れも透明プラスチック材質である。
【０００９】
選択的に、前記第一の上封止パッド、第一の下封止パッド、第二の上封止パッド、第二
の下封止パッド、第三の上封止パッドおよび第三の下封止パッドの材質は同じで、いずれ
も軟質ゴム材質である。
【００１０】
選択的に、前記第一の案内板と第二の案内板の形状は同じで、いずれも四分の一の円形
である。
【００１１】
選択的に、前記第一の磁気ブロック、第二の磁気ブロックおよび第三の磁気ブロックの
位置は相互に対応し、且つ相互に磁気吸引とする。
【００１２】
選択的に、前記第一の磁気ブロック、第二の磁気ブロックおよび第三の磁気ブロックは
いずれも第一の弧形板、第二の弧形板、第三の弧形板の内部に嵌め込むようにそれぞれ固
定的に接続されている。
【００１３】
本実用新案に開示した室内装飾穴あけ用除塵装置は以下の有益な効果などがある。
１）  第一の磁気ブロック、第二の磁気ブロックおよび第三の磁気ブロックを設け、吸
塵手段、湾曲手段と増長手段を一緒に接続するように構成されることにより、取外す操作
が容易になる。したがって、コーナーなどでの穴あけの場合、一部の部品らを外してから
作業をすることが可能となる。壁のエッジにおいて穴あけをする場合、本装置を中線から
左右に開き、その一半部をその周縁部にて壁に密接させて作業すればよく、これにより該
装置は、室内装飾の任意位置における穴あけに適合可能になり、壁付近やコーナーなどの
制限を受けなく、実用性を向上する。
２）  第一の案内板、第二の案内板と第三の案内板を設け、装置の中心を表示すること
により、位置を合わせて穴あけすることが容易になり、確実性を向上する。
３）  増長手段を設けているので、一列の穴をあけるなどの場合、複数個の増長手段を
選択し本装置に組み合わせればよく、これにより１個の穴を開けるたびに装置の位置を調
節することを回避し、穴あけの効率を向上する。
【図面の簡単な説明】
【００１４】
【図１】本実用新案における第一の角度から見る構成模式図。
【図２】本実用新案における第二の角度から見る構成模式図。
【図３】本実用新案における吸塵手段の構成模式図。
【図４】本実用新案における湾曲手段の構成模式図。
【図５】本実用新案における増長手段の構成模式図。
【考案を実施するための形態】
【００１５】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。本実用新案の実施例に基
づいて、本分野の当業者によって創造的な労働を費やさず得られる全ての実施例は、本実
用新案に保護を求める範囲に含まれる。
【００１６】
図１〜５に示すように、本実用新案は以下の技術案を提供する。本室内装飾穴あけ用除
塵装置は、吸塵手段１、湾曲手段２および増長手段３を含み、吸塵手段１の一側に湾曲手
段２が移動可能に取付けられ、吸塵手段１における湾曲手段２と反対側に増長手段３が移
動可能に取付けられている。
【００１７】
吸塵手段１は第一の弧形板１０１、第一の上封止パッド１０２、第一の固定板１０３、
第一の吸盤１０４、第一の支持棒１０５、第一の案内板１０６、第一の下封止パッド１０
７、第一の磁気ブロック１０８および吸塵管１０９を含み、第一の弧形板１０１の頂部の
一側に第一の上封止パッド１０２が固定的に接続されることにより、使用際にドリルを第
一の上封止パッド１０２から本装置に挿入すればよく、第一の上封止パッド１０２が変形
した後、ドリルに密接するようになる。第一の弧形板１０１の底部の一側に第一の固定板
１０３が固定的に接続され、第一の固定板１０３の底部に第一の吸盤１０４が固定的に接
続されることにより、第一の吸盤１０４が壁に付着す得るようになるので、装置を固定す
る目的を達成する。第一の固定板１０３の一側に第一の支持棒１０５が固定的に接続され
、第一の支持棒１０５における第一の固定板１０３と反対側の一端に第一の案内板１０６
が固定的に接続され、第一の弧形板１０１の底部に第一の下封止パッド１０７が固定的に
接続されることにより、第一の下封止パッド１０７により本装置と壁の間の隙間をシール
するようになる。第一の弧形板１０１の両側にそれぞれ第一の磁気ブロック１０８が固定
的に接続され、第一の弧形板１０１の一側に吸塵管１０９が固定的に接続されていること
により、吸塵管１０９に掃除機を接続することができる。
【００１８】
湾曲手段２は第二の弧形板２０１、第二の上封止パッド２０２、第二の固定板２０３、
第二の吸盤２０４、第二の支持棒２０５、第二の案内板２０６、第二の下封止パッド２０
７および第二の磁気ブロック２０８を含み、第二の弧形板２０１の頂部の一側に第二の上
封止パッド２０２が固定的に接続され、第二の弧形板２０１の底部の一側に第二の固定板
２０３が固定的に接続され、第二の固定板２０３の底部に第二の吸盤２０４が固定的に接
続され、第二の固定板２０３の一側に第二の支持棒２０５が固定的に接続され、第二の支
持棒２０５における第二の固定板２０３と反対側の一端に第二の案内板２０６が固定的に
接続され、第二の弧形板２０１の底部に第二の下封止パッド２０７が固定的に接続され、
第二の弧形板２０１の両側にそれぞれ第二の磁気ブロック２０８が固定的に接続されてい
る。
【００１９】
増長手段３は第三の弧形板３０１、第三の上封止パッド３０２、第三の固定板３０３、
第三の吸盤３０４、第三の支持棒３０５、第三の案内板３０６、第三の下封止パッド３０
７および第三の磁気ブロック３０８を含み、第三の弧形板３０１の頂部の一側に第三の上
封止パッド３０２が固定的に接続され、第三の弧形板３０１の底部の一側に第三の固定板
３０３が固定的に接続され、第三の固定板３０３の底部に第三の吸盤３０４が固定的に接
続され、第三の固定板３０３の一側に第三の支持棒３０５が固定的に接続され、第三の支
持棒３０５における第三の固定板３０３と反対側の一端に第三の案内板３０６が固定的に
接続され、第三の弧形板３０１の底部に第三の下封止パッド３０７が固定的に接続され、
第三の弧形板３０１の両側にそれぞれ第三の磁気ブロック３０８が固定的に接続されてい
る。
【００２０】
第一の弧形板１０１、第二の弧形板２０１および第三の弧形板３０１の材質は同じで、
いずれも透明プラスチック材質である。プラスチック材質が軽量であり、コストが低く、
かつ透明材質であるプラスチックならば穴あけの位置が容易に見える。第一の上封止パッ
ド１０２、第一の下封止パッド１０７、第二の上封止パッド２０２、第二の下封止パッド
２０７、第三の上封止パッド３０２および第三の下封止パッド３０７の材質は同じで、い
ずれも軟質ゴム材質である。軟質ゴム材質が頑固で耐摩擦で、経済的に耐用である。第一
の案内板１０６と第二の案内板２０６の形状は同じで、いずれも四分の一の円形である。
第一の磁気ブロック１０８、第二の磁気ブロック２０８および第三の磁気ブロック３０８
の位置は相互に対応し、且つ相互に磁気吸引とする。吸塵手段１、湾曲手段２と増長手段
３を互いに一緒に接続するという目的を達成する。第一の磁気ブロック１０８、第二の磁
気ブロック２０８および第三の磁気ブロック３０８はいずれも第一の弧形板１０１、第二
の弧形板２０１、第三の弧形板３０１の内部に嵌め込むようにそれぞれ固定的に接続され
ている。吸塵手段１、湾曲手段２と増長手段３を互いに一緒に接続すると、抵触部位にお
ける隙間が大きくて空気漏れを引き起こすことを回避できる。
【００２１】
使用時に、穴あけの位置を確定し、第一の案内板１０６、第二の案内板２０６と第三の
案内板３０６を開ける穴の位置に合わせ、第一の吸盤１０４、第二の吸盤２０４と第三の
吸盤３０４により本装置を壁に固定し、吸塵管１０９に掃除機を接続し、ドリルを第一の
上封止パッド１０７、第二の上封止パッド２０７および第三の上封止パッド３０７から装
置に挿入させて穴あけをすればよい。壁のエッジにおいて穴あけをする場合、本装置を中
線から左右に開き、その一半部をその周縁部にて壁に密接させて作業すればよく、一列の
穴をあけるなどの場合、複数個の増長手段３を選択し本装置に組み合わせて本装置を増長
すればよく、これにより１個の穴を開けるたびに装置の位置を調節することを回避する。
【００２２】
以上によれば、該室内装飾穴あけ用除塵装置は、使用時に、第一の磁気ブロック１０８
、第二の磁気ブロック２０８および第三の磁気ブロック３０８を設け、吸塵手段１、湾曲
手段２と増長手段３を一緒に接続するように構成されることにより、取外す操作が容易に
なるという目的を達しする。コーナーなどでの穴あけの場合、本装置を中線から左右に開
き、その一半部をその周縁部にて壁に密接させて作業すればよく、これにより該装置は、
室内装飾の任意位置における穴あけに適合可能になり、壁付近やコーナーなどの制限を受
けなく、実用性を向上する。第一の案内板１０６、第二の案内板２０６と第三の案内板３
０６を設け、装置の中心を表示することにより、位置を合わせて穴あけすることが容易に
なり、確実性を向上する。増長手段３を設けているので、一列の穴をあけるなどの場合、
複数個の増長手段３を選択し本装置に組み合わせればよく、これにより１個の穴を開ける
たびに装置の位置を調節することを回避し、穴あけの効率を向上する。
【００２３】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００２４】
１  吸塵手段
１０１  第一の弧形板
１０２  第一の上封止パッド
１０３  第一の固定板
１０４  第一の吸盤
１０５  第一の支持棒
１０６  第一の案内板
１０７  第一の下封止パッド
１０８  第一の磁気ブロック
１０９  吸塵管
２  湾曲手段
２０１  第二の弧形板
２０２  第二の上封止パッド
２０３  第二の固定板
２０４  第二の吸盤
２０５  第二の支持棒
２０６  第二の案内板
２０７  第二の下封止パッド
２０８  第二の磁気ブロック
３  増長手段
３０１  第三の弧形板
３０２  第三の上封止パッド
３０３  第三の固定板
３０４  第三の吸盤
３０５  第三の支持棒
３０６  第三の案内板
３０７  第三の下封止パッド
３０８  第三の磁気ブロック
【図１】
0003224510.tif 000003
【図２】
0003224510.tif 000004
【図３】
0003224510.tif 000005
【図４】
0003224510.tif 000006
【図５】
0003224510.tif 000007
【手続補正書】
【提出日】令和1年10月25日(2019.10.25)
【手続補正１】
【補正対象書類名】実用新案登録請求の範囲
【補正対象項目名】全文
【補正方法】変更
【補正の内容】
【実用新案登録請求の範囲】
【請求項１】
吸塵手段（１）、湾曲手段（２）および増長手段（３）を含む室内装飾穴あけ用除塵装
置であって、前記吸塵手段（１）と前記湾曲手段（２）との間に前記増長手段（３）が設
けられ、
前記吸塵手段（１）は第一の弧形板（１０１）、第一の上封止パッド（１０２）、第一
の固定板（１０３）、第一の吸盤（１０４）、第一の支持棒（１０５）、第一の案内板（
１０６）、第一の下封止パッド（１０７）、第一の磁気ブロック（１０８）および吸塵管
（１０９）を含み、前記第一の弧形板（１０１）の頂部の一側に第一の上封止パッド（１
０２）が固定的に接続され、前記第一の弧形板（１０１）の底部の一側に第一の固定板（
１０３）が固定的に接続され、前記第一の固定板（１０３）の底部に第一の吸盤（１０４
）が固定的に接続され、前記第一の固定板（１０３）の一側に第一の支持棒（１０５）が
固定的に接続され、前記第一の支持棒（１０５）における第一の固定板（１０３）と反対
側の一端に第一の案内板（１０６）が固定的に接続され、前記第一の弧形板（１０１）の
底部に第一の下封止パッド（１０７）が固定的に接続され、前記第一の弧形板（１０１）
の両側にそれぞれ第一の磁気ブロック（１０８）が固定的に接続され、前記第一の弧形板
（１０１）の一側に吸塵管（１０９）が固定的に接続されており、
前記湾曲手段（２）は第二の弧形板（２０１）、第二の上封止パッド（２０２）、第二
の固定板（２０３）、第二の吸盤（２０４）、第二の支持棒（２０５）、第二の案内板（
２０６）、第二の下封止パッド（２０７）および第二の磁気ブロック（２０８）を含み、
前記第二の弧形板（２０１）の頂部の一側に第二の上封止パッド（２０２）が固定的に接
続され、前記第二の弧形板（２０１）の底部の一側に第二の固定板（２０３）が固定的に
接続され、前記第二の固定板（２０３）の底部に第二の吸盤（２０４）が固定的に接続さ
れ、前記第二の固定板（２０３）の一側に第二の支持棒（２０５）が固定的に接続され、
前記第二の支持棒（２０５）における第二の固定板（２０３）と反対側の一端に第二の案
内板（２０６）が固定的に接続され、前記第二の弧形板（２０１）の底部に第二の下封止
パッド（２０７）が固定的に接続され、前記第二の弧形板（２０１）の両側にそれぞれ第
二の磁気ブロック（２０８）が固定的に接続されており、
前記増長手段（３）は第三の弧形板（３０１）、第三の上封止パッド（３０２）、第三
の固定板（３０３）、第三の吸盤（３０４）、第三の支持棒（３０５）、第三の案内板（
３０６）、第三の下封止パッド（３０７）および第三の磁気ブロック（３０８）を含み、
前記第三の弧形板（３０１）の頂部の一側に第三の上封止パッド（３０２）が固定的に接
続され、前記第三の弧形板（３０１）の底部の一側に第三の固定板（３０３）が固定的に
接続され、前記第三の固定板（３０３）の底部に第三の吸盤（３０４）が固定的に接続さ
れ、前記第三の固定板（３０３）の一側に第三の支持棒（３０５）が固定的に接続され、
前記第三の支持棒（３０５）における第三の固定板（３０３）と反対側の一端に第三の案
内板（３０６）が固定的に接続され、前記第三の弧形板（３０１）の底部に第三の下封止
パッド（３０７）が固定的に接続され、前記第三の弧形板（３０１）の両側にそれぞれ第
三の磁気ブロック（３０８）が固定的に接続されている、
ことを特徴とする室内装飾穴あけ用除塵装置。
【請求項２】
前記第一の弧形板（１０１）、第二の弧形板（２０１）および第三の弧形板（３０１）
の材質は同じで、いずれも透明プラスチック材質であることを特徴とする請求項１に記載
の室内装飾穴あけ用除塵装置。
【請求項３】
前記第一の上封止パッド（１０２）、第一の下封止パッド（１０７）、第二の上封止パ
ッド（２０２）、第二の下封止パッド（２０７）、第三の上封止パッド（３０２）および
第三の下封止パッド（３０７）の材質は同じで、いずれも軟質ゴム材質であることを特徴
とする請求項１に記載の室内装飾穴あけ用除塵装置。
【請求項４】
前記第一の案内板（１０６）と第二の案内板（２０６）の形状は同じで、いずれも四分
の一の円形であることを特徴とする請求項１に記載の室内装飾穴あけ用除塵装置。
【請求項５】
前記第一の磁気ブロック（１０８）、第二の磁気ブロック（２０８）および第三の磁気
ブロック（３０８）の位置は相互に対応し、且つ相互に磁気吸引とすることを特徴とする
請求項１に記載の室内装飾穴あけ用除塵装置。
【請求項６】
前記第一の磁気ブロック（１０８）、第二の磁気ブロック（２０８）および第三の磁気
ブロック（３０８）はいずれも第一の弧形板（１０１）、第二の弧形板（２０１）、第三
の弧形板（３０１）の内部に嵌め込むようにそれぞれ固定的に接続されていることを特徴
とする請求項１に記載の室内装飾穴あけ用除塵装置。